(57)【特許請求の範囲】
【請求項１】
２つのブラシ部を有する頭皮頭髪用ブラシであって、柔軟性を有する材料で全体が一体に形成され、両ブラシ部の境にはその境に沿って延びる指挿通部が設けられ、該指挿通部はブラシを上下に貫く孔であり、両ブラシ台は指挿通部を境として結合された状態で該指挿通部の両側に存在し、それぞれのブラシ台は板状に形成され、ブラシ部は、それぞれのブラシ台の表面にブリッスルが設けられたものであり、双方のブラシ部のブリッスルは反対方向を向いており、指をブラシの一方の表面側から指挿通部に挿通し、他方の表面側に突出したその指の腹側を一方のブラシ部の裏面に対向させたときに、他方のブラシ部がその手の甲側に位置した状態でブラシをその手に保持できることを特徴とする頭皮頭髪用ブラシ。
【請求項２】
双方のブラシ台の端縁同士が、上下方向に関し間隔が開いていると共に、ブラシの長さ方向に関しても間隔が開いている請求項１記載の頭皮頭髪用ブラシ。
【請求項３】
両ブラシ部は、それらの両端同士が結合部により結合され、該結合部は、ブラシ台に対して垂直方向又は斜め方向に延びるように形成されている請求項２記載の頭皮頭髪用ブラシ。
【発明の詳細な説明】
【技術分野】
【０００１】
本発明は、育毛剤を頭髪に塗布したり頭皮をマッサージしたりするのに適した頭皮頭髪用ブラシに関する。
【背景技術】
【０００２】
頭皮頭髪用ブラシでなく顔用のブラシであるが２つのブラシ部を有するものは存在する（例えば、特許文献１参照。）。また、頭髪用ブラシであって２つのブラシ部を有し、それらのブラシ部をそれぞれ独立して使用するものは存在する（例えば、特許文献２参照。）。
【特許文献１】特開２００４−２４９０６１号公報
【特許文献２】意匠登録第６７３２７４号公報
【発明の開示】
【発明が解決しようとする課題】
【０００３】
本発明は、２つのブラシ部を有し、ブラシ部をそれぞれ独立して使用することができ、指の微妙なタッチで頭皮頭髪にブリッスルを当てることができる頭皮頭髪用ブラシの提供を課題とする。
【０００４】
２つのブラシ部を有する頭皮頭髪用ブラシは２種類存在する。特許文献１のように２つの異なるブリッスルを設けた２つのブラシ部が隣接して設けられていてブリッスルが同じ方向を向いているブラシと、特許文献２のように背中合わせのブラシ部にそれぞれブリッスルが設けられていてブリッスルが反対方向を向いているブラシである。
【０００５】
特許文献１のように２つの異なるブリッスルが設けられているブラシは、２つのブリッスルの長さや太さが異なっている。そのように異なるブリッスルが同じ側に隣接して設けられているブラシは、２つのブリッスルが隣接しているためにブラシ部を独立して使用することができない。それぞれのブリッスルを頭皮頭髪に使用するときに他方のブリッスルも同時に頭皮頭髪に当たって使用していないブリッスルが干渉するのである。そうすると、例えば短いブリッスルを使用しているときに他方の長いブリッスルが頭皮頭髪に当たることによって、当たり具合の調節がとれない。
【０００６】
また、特許文献２のように背中合わせのブラシ台にそれぞれブリッスルが設けられていてブリッスルが反対方向を向いているブラシは、手のひらでしっかり握って使用するものであってブラシ部の裏面に指の腹側を宛がって使用するものではない。洗髪用のブラシであれば手のひらでしっかり握ってブリッスルを力強く頭皮に宛がって使用するので、このような構成のブラシが最適である。すなわち、洗髪時には頭皮頭髪にシャンプーや石鹸が付いているからブリッスルは滑らかに頭皮頭髪に当たるので問題はないのである。しかし、このようなブラシは育毛剤を塗布するためのブラシとしては適当でない。育毛剤はシャンプーや石鹸のように潤滑性を有しないから、ブリッスルを頭皮に力強く宛がうと摩擦によって頭皮を痛めてしまうのである。ブラシを手のひらでしっかり握って使用するときはブリッスルが頭皮に当たる強さを微妙に調節することができない。また、ブラシを手のひらで握って使用するときは細かな動きをとることができないので塗り残す虞もある。そこで、本発明は、ブラシ部を独立して使用できると共にブラシ部を指の腹側に宛がうことによってブリッスルが頭皮に当たる強さやブリッスルの動きを微妙に調節することができるブラシを提供しようとするものである。
【課題を解決するための手段】
【０００７】
本発明の請求項１は、２つのブラシ部を有する頭皮頭髪用ブラシであって、柔軟性を有する材料で全体が一体に形成され、両ブラシ部の境にはその境に沿って延びる指挿通部が設けられ、該指挿通部はブラシを上下に貫く孔であり、両ブラシ台は指挿通部を境として結合された状態で該指挿通部の両側に存在し、それぞれのブラシ台は板状に形成され、ブラシ部は、それぞれのブラシ台の表面にブリッスルが設けられたものであり、双方のブラシ部のブリッスルは反対方向を向いており、指をブラシの一方の表面側から指挿通部に挿通し、他方の表面側に突出したその指の腹側を一方のブラシ部の裏面に対向させたときに、他方のブラシ部がその手の甲側に位置した状態でブラシをその手に保持できる構成である。
【０００８】
請求項２は、双方のブラシ台の端縁同士が、上下方向に関し間隔が開いていると共に、ブラシの長さ方向に関しても間隔が開いている構成である。
【０００９】
請求項３は、両ブラシ部は、それらの両端同士が結合部により結合され、該結合部は、ブラシ台に対して垂直方向又は斜め方向に延びるように形成されている構成である。
【発明の効果】
【００１０】
本発明は、ブラシ台の表面にブリッスルが設けられたブラシ部を２つ有し、その２つのブラシ部は結合されており、一方の手の指の腹側をブラシ部に対向させたときに、他方のブラシ部がその手の甲側に位置した状態でブラシをその手に保持できる手段を備えている。したがって、ブラシの使用時に一方のブラシ部は指の腹側と対向し他方のブラシ部は手の甲側にあるから、一方のブラシ部を他方のブラシ部から独立して使用することができる。独立して使用できることにより、使用しているブラシ部のブリッスルは他方のブリッスルの干渉を受けることがない。しかも、このようにそれぞれのブラシ部を独立して使用できると共に、一方の指の腹側をそのブラシ部に対向させて使用するので、指の感覚を利用して微妙な力や動きを伴うブラッシングができる。
【００１１】
また、両ブラシ部の間に指挿通部が設けられ、該指挿通部に指を挿通したときにその指の腹側が一方のブラシ部に対向し、他方のブラシ部が手の甲側に位置してブラシをその手に保持する。指挿通部を設けるだけの構成で、一方のブラシ部に指の腹側を対向させると他方のブラシ部が手の甲側に位置してブラシを保持できるので、簡単な構成でブラシをさらに保持しやすくなる。
【００１２】
また、２つのブラシ部の境に設けられた指挿通部に指を挿通すると、挿通された指は一方のブラシ部の裏面側に延びてその指の腹側がその裏面に対向する。そして、他方のブラシ部は手の甲側に位置する。２つのブラシ部が重なっていないのでそれらのブラシ部は離れており、使用していないブリッスルはブラッシングしている場所から離れるので、使用時に頭髪が使用していないブリッスルに絡みつくことがない。好ましくは指挿通部に挿通された指が指挿通部にいくらか圧迫されるように指挿通部を構成すればブラシは容易に外れることがなく確実にブラシを保持できる。
【００１３】
また、２つのブラシ部のブリッスルが反対方向を向いている。したがって、手の甲側にあるブラシ部のブリッスルが外側を向くので手の甲に当たることがない。
【００１４】
また、ブラシが柔軟な材料で一体に形成されている。柔軟な材料で形成されているから肌当たりが良く、頭皮にフィットするように変形しやすく効率的にブラッシングできる。
【発明を実施するための最良の形態】
【００１５】
次に、本発明の実施形態について説明する。ブラシ１はシリコーン樹脂などの柔軟性を有する材料で全体を一体に形成することが好ましい。ブラシ１は２つのブラシ部２，３を有する。ブラシ部２は主に育毛剤を塗布するためのものであってブラシ台４の表面５にブリッスル６が設けられている。ブリッスル６は柔軟性を有する材料で形成され、形状は四角錐で細く先端がやや尖っている。この四角錐の底辺の一辺は約２ｍｍであり高さは約６ｍｍである。したがって、ブリッスル６は細く先端が尖っているので毛と毛の間に容易に入り込んで育毛剤を隅々まで満遍なく行き渡らせる。また、その尖った先端が頭皮に当たるとその鋭さで頭皮を心地よく刺激することができる。さらに、ブリッスル６は細く形成されているので使用中にブラシを強めに押すと容易に曲がって頭皮とブラシ台４の表面５との間隔を狭める。これにより頭髪が圧迫されブリッスル６と頭髪との接触圧力が大きくなり、育毛剤を頭髪に十分に塗り込むことができる。ブラシ部１の両ブラシ台２，３を含めた長さ方向の全長は約１５０ｍｍであり、吊り下げ孔１７を除いた幅方向の長さは約９０ｍｍであるが、本発明がこの数値に限定されないことは勿論である。ブラシ１の全体形状は図２に示すように正面視で小判形であって、形状や大きさは手を開いた形状及び大きさに近いが、本発明がこの形状又は大きさに限定されるものではない。
【００１６】
図５に示すように、ブラシ台４は板状であって平面状に形成されておらず表面側に凸状であり、ブラシ台４を横方向に横切る線で切った断面の表面５の線が凸の弧状をなしている。したがって、裏面７は凹面である。ブラシ台４の裏面７には横方向に延びる指掛けバンド８が設けられている。指掛けバンド８は使用中に指を安定させるためのものである。指掛けバンド８に代えてブラシ台４の裏面７に１又は複数の突起を設け、この突起を指で挟むようにして掛けてもよい。また、指掛けバンド８に代えて袋状の指入れ部を設けてもよい。あるいは、このような指掛けバンド８や突起などの指掛け部を設けなくてもよい。ブラシ台４は平面状に形成してもよい。
【００１７】
ブラシ部３は主に頭皮をマッサージするためのものであって、ブラシ部２と同じ外形に形成されブラシ台９の表面１０にブリッスル１１が設けられている。ブリッスル１１は柔軟性を有する材料で形成され、形状は円柱状でブリッスル６よりも太く先端が丸みを帯びている。ブリッスル１１の直径は約３．５ｍｍで高さは約６ｍｍであるがこの数値に限定されない。ブリッスル１１は太く形成されているので使用中に曲がりにくく、しかも先端が丸みを帯びているので頭皮のマッサージに適した構造となっている。
【００１８】
ブラシ台４と同様にブラシ台９は板状であって平面状に形成されておらず表面側に凸の弧状であり、ブラシ台９を横方向に横切る線で切った断面の表面１０の線が凸の弧状をなしている。したがって、裏面１２は凹面である。ブラシ台９の裏面１２には横方向に延びる指掛けバンド１３が設けられている。この指掛けバンド１３は、ブラシ台４の場合と同じように突起や袋状指入れに代えてもよく、これらの指掛け部や指入れ部を設けなくてもよい。ブラシ台９は平面状に形成してもよい。
【００１９】
両ブラシ部２，３はそれらの両端同士が結合部１８，１８により結合されている。そして、それぞれのブリッスル６，１１が反対方向を向くように結合されている。両ブラシ部２，３の境にはその境に沿って延びる指挿通部１４が設けられている。指挿通部１４に挿通された指が指挿通部１４にやや圧迫されるように指挿通部１４を構成することが好ましいが、指が緩めであっても差し支えない。指を圧迫状態で挿通することによりブラシ１を確実に保持できる。指挿通部１４のサイズによって圧迫の度合いを設定できる。指挿通部１４の高さは約１５ｍｍであり、５〜３０ｍｍとすることが好ましく人の指の太さの０．５〜１．５倍程度が好ましい。また、指挿通部１４の幅は約８０ｍｍであり、３０〜１２０ｍｍとすることが好ましい。２本の指を挿通したときに緩めであれば３本の指を挿通し、３本の指を挿通したときに緩めであれば４本の指を挿通してきつめにする。また、１つの指挿通部に複数の指を挿通する構成に代えて、指ごとに複数の指挿通部を設けてもよい。この場合、挿通部の幅は指１本分の幅よりやや小さめが好ましい。
【００２０】
図１又は図５に示すように、ブラシ台４は表面５側すなわち下側に凸の弧状をなしているので、ブラシ台４の端縁１５も表面５側に凸の弧状をなしている。また、他方のブラシ台９は表面１０側すなわち上側に凸の弧状をなしているので、ブラシ台９の端縁１６も表面１０側に凸の弧状をなしている。これにより指挿通部１４を構成するブラシ台４の端縁１５は他方のブラシ台９の端縁１６よりも下方に位置するから、端縁１５と端縁１６は上下方向に関し間隔が開くことになる。したがって、例えばブラシ台４の側から指挿通部１４に指を挿通するときに、指挿通部１４は指の厚み方向に間隔が開いているので指を入れ易いのである。さらに、指挿通部１４はその中央で最も間隔が開いており、指を挿通するときに指の中で最も長く中央にある中指がその間隔の最も開いた指挿通部１４の中央に挿通されるので、指を挿通する作業を円滑に行うことができる。このように、２つのブラシ台４，９を弧状に形成することによりそれぞれの端縁１５，１６が反対方向にずれて間隔を設けることができるが、他の構造によっても間隔をあけることができる。例えば、２つのブラシ台４，９は平面状に形成しても、結合部１８，１８をブラシ台４，９に対して垂直方向又は斜め方向に延びるように形成すればブラシ台４，９の高さが異なるので、指挿通部１４は上下方向に間隔があくのである。なお、本実施形態では、端縁１５，１６はブラシ１の長さ方向に関しても間隔があいており、その最大間隔は約７ｍｍであるが３〜２０ｍｍであることが好ましい。ブラシ１の側部には吊り下げ孔１７が設けられている。この吊り下げ孔１７はブラシ部２，３の境に設けられているのでブラシの使用時に邪魔にならない。
【００２１】
図４は、育毛剤の塗布に適したブリッスル６を使用するときのブラシ１の使用状態を示している。指を指挿通部１４に挿通するときは、手のひらとブリッスル６を同じ方向に向けて、指を他方のブラシ台９の裏面１２側から指挿通部１４に挿通しブラシ台４の裏面７側に指の付け根まで一杯に挿通する。そのとき、指は指掛けバンド８の中を通す。そして、ブリッスル６を頭皮頭髪に宛がって育毛剤を塗布する。ブリッスル６は手のひらの位置にあるのではなく指の腹側の位置にあるから、指の感覚を利用して微妙な力や動きを伴うブラッシングができる。また、指は各関節で自由に曲がるから、ブラシ１を柔軟性を有する材料で形成したときは、頭皮の形状に合わせて指を曲げながら満遍なくブラッシングをすることができる。仮に、ブリッスル６が手のひらの位置にあると、手のひらは指の関節の根元で曲がるが指のようには自由に曲がらないから満遍なくブラッシングすることができないのである。
【００２２】
なお、本発明は前述した構成に基づいて種々の態様をとることが可能である。例えば、ブラシ部２，３をその結合部１８で折り畳み自在とし、指掛けバンドなどで止めるようにしてもよい。ブリッスル６，１１の形状は実施形態と異なる形状でもよい。本発明を洗髪用、洗顔用、体の洗浄用あるいは髪をとかすヘアブラシとして用いてもよい。
【図面の簡単な説明】
【００２３】
【図１】本発明の斜視図
【図２】本発明の正面図
【図３】本発明の側面図
【図４】本発明の使用状態を示す正面図
【図５】ブラシ部を指掛けバンドのある部分で切った端面図
【符号の説明】
【００２４】
１  ブラシ
２  ブラシ部
３  ブラシ部
４  ブラシ台
５  ブラシ台の表面
６  ブリッスル
７  ブラシ台の裏面
８  指掛けバンド
９  ブラシ台
１０  ブラシ台の表面
１１  ブリッスル
１２  ブラシ台の裏面
１３  指掛けバンド
１４  指挿通部
１５  端縁
１６  端縁
１７  吊り下げ孔
１８  結合部
【図１】
0005345790.tif 000002
【図２】
0005345790.tif 000003
【図３】
0005345790.tif 000004
【図４】
0005345790.tif 000005
【図５】
0005345790.tif 000006